(57)【要約】【課題】煩雑な設定操作等を行なう必要なしに、その時点に適したポインタの画像を重畳した投影画像を表示させる。【解決手段】複数の操作キーを備えたリモコン４でのキー操作に対応し、ＰＣ２からＲＧＢケーブル100 を介して送られてくる画像信号に従った投影動作を実行するプロジェクタ１であって、ＲＧＢケーブル100 とは別にＰＣ２と接続され、制御コマンドを送受するＵＳＢケーブル300 と、ＵＳＢケーブル300 によるＰＣ２との接続の有無を判断し、リモコン４の所定キーの操作に対応し、上記判断結果によりＰＣ２との接続時にはＰＣ２に所定の制御コマンドを送信し、ＰＣ２との非接続時には所定の機能を実行するＣＰＵ11とを備える。【選択図】      図３
2006236257.tif 000002
【特許請求の範囲】
【請求項１】
複数の操作キーを備えたリモートコントローラでのキー操作に対応し、外部装置から第１の接続手段を介して送られてくる画像信号に従った投影動作を実行する投影装置であって、
上記第１の接続手段とは別に上記外部装置と接続され、制御コマンドを送受する第２の接続手段と、
この第２の接続手段による上記外部装置との接続の有無を判断する判断手段と、
上記リモートコントローラの所定キーの操作に対応し、上記判断手段での判断結果により外部装置との接続時には上記外部装置に所定の制御コマンドを送信し、上記外部装置との非接続時には所定の機能を実行するキー制御手段と
を具備したことを特徴とする投影装置。
【請求項２】
上記リモートコントローラの所定キーはポインタの移動を指示するキーであり、
上記キー制御手段は、上記外部装置との接続時には上記外部装置に画像信号中のポインタの移動を指示する制御コマンドを送信し、上記外部装置との非接続時に投影画像上に重畳するポインタの画像を移動させる
ことを特徴とする請求項１記載の投影装置。
【請求項３】
上記キー制御手段は、上記外部装置との非接続時には投影画像上に重畳するポインタの画像を予め複数用意されたものの中で切換えることを特徴とする請求項１または２記載の投影装置。
【請求項４】
上記キー制御手段は、上記外部装置との非接続時に投影画像上に重畳するポインタの画像の点灯と点滅とを切換えることを特徴とする請求項１または２記載の投影装置。
【請求項５】
画像信号を出力する外部装置と、
複数の操作キーを設けたリモートコントローラ、上記外部装置と接続され、外部装置から送られてくる画像信号を受信する第１の接続手段、この第１の接続手段を介して外部装置から受信した画像信号に従った投影動作を実行する投影手段、上記第１の接続手段とは別に上記外部装置と接続され、制御コマンドを送受する第２の接続手段、この第２の接続手段による上記外部装置との接続の有無を判断する判断手段、及び上記リモートコントローラの所定キーの操作に対応し、上記判断手段での判断結果により外部装置との接続時には上記外部装置に所定の制御コマンドを送信し、上記外部装置との非接続時には所定の機能を実行するキー制御手段を備えた投影装置と
を有したことを特徴とする投影システム。
【請求項６】
複数の操作キーを備えたリモートコントローラでのキー操作に対応し、外部装置から第１の接続部を介して送られてくる画像信号に従った投影動作を実行する投影装置の制御方法であって、
上記リモートコントローラの所定キーの操作に対応し、上記第１の接続部とは別に上記外部装置と接続され、制御コマンドを送受する第２の接続部による上記外部装置との接続の有無を判断する判断処理と、
上記リモートコントローラの所定キーの操作に対応し、上記判断処理での判断結果により外部装置との接続時には上記外部装置に所定の制御コマンドを送信し、上記外部装置との非接続時には所定の機能を実行するキー制御処理と
を有したことを特徴とする投影装置の制御方法。
【請求項７】
複数の操作キーを備えたリモートコントローラでのキー操作に対応し、外部装置から第１の接続部を介して送られてくる画像信号に従った投影動作を実行する投影装置に内蔵されたコンピュータが実行するプログラムであって、
上記リモートコントローラの所定キーの操作に対応し、上記第１の接続部とは別に上記外部装置と接続され、制御コマンドを送受する第２の接続部による上記外部装置との接続の有無を判断する判断ステップと、
上記リモートコントローラの所定キーの操作に対応し、上記判断ステップでの判断結果により外部装置との接続時には上記外部装置に所定の制御コマンドを送信し、上記外部装置との非接続時には所定の機能を実行するキー制御ステップと
をコンピュータに実行させることを特徴とするプログラム。
【発明の詳細な説明】
【技術分野】
【０００１】
本発明は、リモートコントローラを付属したプロジェクタ装置に好適な投影装置、投影システム、投影装置の制御方法及びプログラムに関する。
【背景技術】
【０００２】
従来よりプレゼンテーション等で広く使用されるプロジェクタ装置では、付属しているリモートコントローラがレーザポインタの機能を兼用するものがあった。（例えば、特許文献１）
【特許文献１】特開２００５−００４１６９号公報
【発明の開示】
【発明が解決しようとする課題】
【０００３】
しかしながらレーザポインタを兼用したリモートコントローラで当該レーザポインタの機能を実行する場合、一般にリモートコントローラは単体のレーザポインタに比して非常に大型で重量も大きくなる。
【０００４】
そのため、特にリモートコントローラとスクリーンとの距離が離れている場合などは、リモートコントローラのわずかな動きが拡大されてスクリーン上に現れることとなり、どうしても投影画像に重畳して投射されるポインタの画像が細かく震えてしまうなど、投影画像を見る人たちが見づらいものとなってしまうことも多々あり得る。
【０００５】
このような点から、プロジェクタ装置の付属品であるリモートコントローラにレーザポインタの機能を兼用させるのではなく、プロジェクタ装置が投影する画像中にポインタ画像を重畳して投影させるものとし、リモートコントローラのキー操作により画像中に重畳されるポインタの位置を移動させるものとすることも考えられる。
【０００６】
この場合、投影画像に対するポインタの画像を、投影表示を行なうプロジェクタ装置で作成して重畳するか、あるいはこのプロジェクタ装置に投影画像の信号を入力している、例えばパーソナルコンピュータ等の外部装置でポインタ画像を予め作成させて画像信号中に重畳しておくか、２つの方法が考えられる。
【０００７】
一般にプロジェクタ装置は、パーソナルコンピュータ等の外部装置からＲＧＢ信号あるいはコンポジットビデオ信号で入力される画像に基づいても投影動作を行なう。
【０００８】
したがって、上記前者のプログラム装置でポインタの画像を重畳する方法は、プロジェクタ装置とその付属物であるリモートコントローラの範囲で対処可能となるもので、実現性が高い。
【０００９】
また、上記後者の外部装置で画像信号にポインタの画像を重畳させる方法は、外部装置から画像信号をプロジェクタ装置に伝送する接続ケーブルの他に、リモートコントローラでのキー操作に対応したポインタの移動等を指示する制御コマンドをプロジェクタ装置から外部装置に伝送するための接続ケーブルや、または何らかの接続手段が必要となり、装置設置時の接続作業が煩雑なものとなる。
【００１０】
その反面、この方法では、外部装置ではポインタの移動等をアプリケーションプログラムのレベルで対応することができるため、例えば表計算ソフト実行時にワークシート上のポインタをセル単位に移動させるなど、投影内容に適した制御を行なうことも可能となる。
【００１１】
いずれにしろ、上記２つの方法は個別の制御が必要となるものであり、仮にそのような機能を実現した上で運用するものとした場合でも、プロジェクタ装置のユーザは個々の場合に対応した設定を事前に行なった上で投影動作に移行する必要があり、またその時々によってリモコンでのキー操作は異なるものとなる。
【００１２】
本発明は上記のような実情に鑑みてなされたもので、その目的とするところは、リモートコントローラの操作キーを有効に活用し、煩雑な設定操作等を行なう必要なしに、その時点に適したポインタの制御を含む投影動作を実現させることが可能な投影装置、投影システム、投影装置の制御方法及びプログラムを提供することにある。
【課題を解決するための手段】
【００１３】
請求項１記載の発明は、複数の操作キーを備えたリモートコントローラでのキー操作に対応し、外部装置から第１の接続手段を介して送られてくる画像信号に従った投影動作を実行する投影装置であって、上記第１の接続手段とは別に上記外部装置と接続され、制御コマンドを送受する第２の接続手段と、この第２の接続手段による上記外部装置との接続の有無を判断する判断手段と、上記リモートコントローラの所定キーの操作に対応し、上記判断手段での判断結果により外部装置との接続時には上記外部装置に所定の制御コマンドを送信し、上記外部装置との非接続時には所定の機能を実行するキー制御手段とを具備したことを特徴とする。
【００１４】
このように請求項１記載の発明によれば、その時点での外部装置との接続状態に応じてリモートコントローラのキー操作に対応する機能を自動的に切換えるものとしたので、リモートコントローラの操作キーを有効に活用し、煩雑な設定操作等を行なうことがなく、その時点に適した機能を実現させることが可能となる。
【００１５】
請求項２記載の発明は、上記請求項１記載の発明において、上記リモートコントローラの所定キーはポインタの移動を指示するキーであり、上記キー制御手段は、上記外部装置との接続時には上記外部装置に画像信号中のポインタの移動を指示する制御コマンドを送信し、上記外部装置との非接続時に投影画像上に重畳するポインタの画像を移動させることを特徴とする。
【００１６】
このように請求項２記載の発明によれば、上記請求項１記載の発明の効果に加えて、特に投影画像上のポインタの移動指示を適切に処理することができる。
【００１７】
請求項３記載の発明は、上記請求項１または２記載の発明において、上記キー制御手段は、上記外部装置との非接続時には投影画像上に重畳するポインタの画像を予め複数用意されたものの中で切換えることを特徴とする。
【００１８】
このように請求項３記載の発明によれば、上記請求項１または２記載の発明の効果に加えて、簡単な操作でポインタの画像を切換えることかできる。
【００１９】
請求項４記載の発明は、上記請求項１または２記載の発明において、上記キー制御手段は、上記外部装置との非接続時に投影画像上に重畳するポインタの画像の点灯と点滅とを切換えることを特徴とする。
【００２０】
このように請求項４記載の発明によれば、上記請求項１または２記載の発明の効果に加えて、簡単な操作でポインタの点灯／点滅状態を切換えることかできる。
【００２１】
請求項５記載の発明は、画像信号を出力する外部装置と、複数の操作キーを設けたリモートコントローラ、上記外部装置と接続され、外部装置から送られてくる画像信号を受信する第１の接続手段、この第１の接続手段を介して外部装置から受信した画像信号に従った投影動作を実行する投影手段、上記第１の接続手段とは別に上記外部装置と接続され、制御コマンドを送受する第２の接続手段、この第２の接続手段による上記外部装置との接続の有無を判断する判断手段、及び上記リモートコントローラの所定キーの操作に対応し、上記判断手段での判断結果により外部装置との接続時には上記外部装置に所定の制御コマンドを送信し、上記外部装置との非接続時には所定の機能を実行するキー制御手段を備えた投影装置とを有したことを特徴とする。
【００２２】
このように請求項５記載の発明によれば、その時点での外部装置との接続状態に応じてリモートコントローラのキー操作に対応する機能を自動的に切換えるものとしたので、リモートコントローラの操作キーを有効に活用し、煩雑な設定操作等を行なうことがなく、その時点に適した機能を実現させることが可能となる。
【００２３】
請求項６記載の発明は、複数の操作キーを備えたリモートコントローラでのキー操作に対応し、外部装置から第１の接続部を介して送られてくる画像信号に従った投影動作を実行する投影装置の制御方法であって、上記リモートコントローラの所定キーの操作に対応し、上記第１の接続部とは別に上記外部装置と接続され、制御コマンドを送受する第２の接続部による上記外部装置との接続の有無を判断する判断処理と、上記リモートコントローラの所定キーの操作に対応し、上記判断処理での判断結果により外部装置との接続時には上記外部装置に所定の制御コマンドを送信し、上記外部装置との非接続時には所定の機能を実行するキー制御処理とを有したことを特徴とする。
【００２４】
このように請求項６記載の発明によれば、その時点での外部装置との接続状態に応じてリモートコントローラのキー操作に対応する機能を自動的に切換えるものとしたので、リモートコントローラの操作キーを有効に活用し、煩雑な設定操作等を行なうことがなく、その時点に適した機能を実現させることが可能となる。
【００２５】
請求項７記載の発明は、複数の操作キーを備えたリモートコントローラでのキー操作に対応し、外部装置から第１の接続部を介して送られてくる画像信号に従った投影動作を実行する投影装置に内蔵されたコンピュータが実行するプログラムであって、上記リモートコントローラの所定キーの操作に対応し、上記第１の接続部とは別に上記外部装置と接続され、制御コマンドを送受する第２の接続部による上記外部装置との接続の有無を判断する判断ステップと、上記リモートコントローラの所定キーの操作に対応し、上記判断ステップでの判断結果により外部装置との接続時には上記外部装置に所定の制御コマンドを送信し、上記外部装置との非接続時には所定の機能を実行するキー制御ステップとをコンピュータに実行させることを特徴とする。
【００２６】
このように請求項７記載の発明によれば、その時点での外部装置との接続状態に応じてリモートコントローラのキー操作に対応する機能を自動的に切換えるものとしたので、リモートコントローラの操作キーを有効に活用し、煩雑な設定操作等を行なうことがなく、その時点に適した機能を実現させることが可能となる。
【発明の効果】
【００２７】
本発明によれば、リモートコントローラの操作キーを有効に活用し、煩雑な設定操作等を行なう必要なしに、その時点に適したポインタ画像の制御を含む投影動作を実現させることが可能となる。
【発明を実施するための最良の形態】
【００２８】
（第１の実施の形態）  
以下、本発明による投影システムの第１の実施の形態を図面を参照して説明する。
【００２９】
図１は、システム全体の構成を示すものであり、本システムは、プロジェクタ１、ノート型パーソナルコンピュータ（以下「ＰＣ」と称する）２、書画装置３、及び上記プロジェクタ１に付属したリモートコントローラ（以下「リモコン４」と称する）４を中心に構成される。
【００３０】
プロジェクタ１とＰＣ２間は、ＰＣ２からプロジェクタ１へ画像データを転送するためのＲＧＢケーブル１００と、プロジェクタ１からＰＣ２へリモコン４でのキー操作コマンドを転送するためのＵＳＢケーブル３００を介して接続される。
【００３１】
また、ＰＣ２と書画装置３間はＵＳＢケーブル２００を介して接続され、書画装置３で読取られた画像データがＰＣ２に取込まれる。
【００３２】
リモコン４は、多数の操作キーを備え、そのキー操作信号を赤外線変調信号として発信するもので、プロジェクタ１はＩｒ受信部１ｂでこれを受信し、キー操作コマンドを復調して適宜投影動作を実行すると共に、必要によりＵＳＢケーブル３００を介してＰＣ２にキー操作コマンドを送出する。
【００３３】
プロジェクタ１は、投影レンズ等の光学系が収容された投影部１ａが本体正面に設けられ、ＰＣ２から送られてくる画像に応じた光像を投影部１ａからスクリーンＳ（またはホワイトボード等）に投影表示する。
【００３４】
上記リモコン４は、ポインタとしても機能するものであり、後述するカーソルキー操作によりプロジェクタ１より投影表示される画像中に重畳されたポインタを任意方向に移動させることができる他、さらにレーザポインタ機能も有し、後述する「ＬＡＳＥＲ」キーを操作することによりレーザ光を発射してスクリーンＳ上の任意の位置を直接ポインティングすることも可能となる。
【００３５】
書画装置３は、図中ではイメージスキャナ（フラットベッドスキャナ）を用いるものとしているが、本発明はこれに限らず、例えば書画スタンドとその上部に設置されたデジタルカメラでなるプロジェクションカメラであってもよい。
【００３６】
この投影システムにおいては、書面原稿等の書面資料Ａ、あるいは各種の立体資料を設置し、それを書画装置３によって撮影すると共に、撮影した画像をＰＣ２を介してプロジェクタ１に送ることにより、書面資料Ａ等の画像がスクリーンＳ上に投影表示されることとなる。
【００３７】
図２にプロジェクタ１の付属物であるリモコン４のキートップ構成を例示する。  
同図に示す如く、正確には図示しない前面中央にリモコン発信部／レーザ光照射部４ａが設けられる一方で、図示する上面には電源キー４ｂ、カラーモード（ＣＯＬＯＲ  ＭＯＤＥ）キーを兼ねたページアップ（ＰＡＧＥ  ＵＰ）キー４ｃ、ポインタ（ＰＯＩＮＴＥＲ）／セレクト（ＳＥＬＥＣＴ）キーを兼ねたページダウン（ＰＡＧＥ  ＤＯＷＮ）キー４ｄ、エンター（Ｅｎｔｅｒ）キー４ｅ、メニュー（ＭＥＮＵ）キー４ｆ、フォーカスアップ／ダウン（ＦＯＣＵＳ△／▽）キー４ｇ、ズームアップ／ダウン（ＺＯＯＭ＋／−）キー４ｈ、ＲＧＢキー４ｉ、オート（ＡＵＴＯ）キー４ｊ、ピクチャ・イン・ピクチャ（Ｉ−ＩＮ−Ｐ）キー４ｋ、ミュート（ＭＵＴＥ）キー４ｌ、レーザー（ＬＡＳＥＲ）キー４ｍ、ＡＦ／ＡＫキー４ｎ、カーソルキー４ｏ、エスケープ（Ｅｓｃ）キー４ｐ、キーストーン（ＫＥＹＳＴＯＮＥ）キー４ｑ、デジタルズームアップ／ダウン（Ｄ−ＺＯＯＭ＋／−）キー４ｒ、ビデオ（ＶＩＤＥＯ）キー４ｓ、Ｓ−ビデオ（Ｓ−ＶＩＤＥＯ）キー４ｔ、ボリューム（ＶＯＬＵＭＥ）キー４ｕ、及びフリーズ（ＦＲＥＥＺＥ）キー４ｖを配設する。
【００３８】
ここでは、上記図１に示した如くプロジェクタ１にＵＳＢケーブル３００によりＰＣ２と接続している状態でページアップキー４ｃ、ページダウンキー４ｄを操作することにより、対応する制御コマンドを発生してプロジェクタ１からＰＣ２に送出し、その時点でＰＣ２上で実行しているアプリケーションソフトウェア中でのページアップ、ページダウンに対応した動作が実行されるものとする。
【００３９】
その反面、プロジェクタ１がＵＳＢケーブル３００でＰＣ２と接続されておらず、ＰＣ２からＲＧＢケーブル１００を介してプロジェクタ１に画像信号が伝送されるのみの状態では、本来はＮＯＰ（無効）として処理されるページアップキー４ｃ、ページダウンキー４ｄでの操作を有効に活用するものとして、ページアップキー４ｃの操作によりカラー選択画面の表示と消去を、ページダウンキー４ｄの操作によりポインタの表示と消去をそれぞれ機能させるものとする。
【００４０】
なお、レーザーキー４ｍは、このリモコン４をレーザポインタとして使用する場合及びその状態を解除する場合に操作するもので、レーザポインタとして使用する状態ではキー上部の記載（ＬＡＳＥＲ）通り、上記リモコン発信部／レーザ光照射部４ａから例えば赤色のレーザ光が射出される。
【００４１】
上記カーソルキー４ｏは、リング状のキーの上下左右各位置を操作することでカーソルあるいはポインタ等の移動を指示する。
【００４２】
エンターキー４ｅは、その時点で選択しているメニュー項目等の決定を指示するキーであり、逆にエスケープキー４ｐは、その時点で選択しているメニュー項目等の解除を指示するキーである。
【００４３】
メニューキー４ｆは、その時点に対応したメニュー画面を表示させ、あるいはすでにメニュー画面が表示されている状態ではそのメニュー画面を消去させる。
【００４４】
ＲＧＢキー４ｉ、ビデオキー４ｓ、及びＳ−ビデオキー４ｔは、入力される画像信号の種別を選択するものであり、これに対してオートキー４ｊは入力される画像選択の種別を自動的に選択させるものである。
【００４５】
次いで図３により上記プロジェクタ１とＰＣ２の電子回路の機能構成を説明する。  
図中、プロジェクタ１は、ＣＰＵ１１、ＲＯＭ１２、ＲＡＭ１３、画像入力部１４、投影部１５、キー入力部１６、及びＩｒ受信部１７を備える。
【００４６】
画像入力部１４は、上記ＲＧＢケーブル１００が接続された入力端子１８を介してＰＣ２から画像信号であるＲＧＢ信号を入力し、入力したＲＧＢ信号に基づいて画像を投影するための表示信号を生成して投影部１５へ送出する。
【００４７】
投影部１５は、例えば高圧水銀灯等の光源ランプとリフレクタ等からなる光源、この光源からの光により光像を形成する、マイクロミラー素子等の画像変換素子、この画像変換素子を上記画像入力部１４からの表示信号に基づいて駆動する駆動回路、及び上記投影部１ａに設けられている投影レンズ等のレンズ光学系を含むもので、上記画像入力部１４からの表示信号に基づいた光像を形成して上記スクリーンＳに投影する。
【００４８】
ＣＰＵ１１は、ＲＯＭ１２に格納されている動作プログラムに従い、ＲＡＭ１３を作業用メモリとして用いて、このプロジェクタ１全体の制御動作を実行するものであり、上記キー入力部１６からのキー操作信号、あるいは上記リモコン４でのキー操作に伴ってＩｒ受信部１７で受信し復調したキー制御コマンドに対応して当該制御動作を実行する。
【００４９】
また、ＣＰＵ１１には図示しないＵＳＢインターフェイス回路が接続されており、そのＵＳＢインターフェイス回路を介して上記ＵＳＢケーブル３００が接続されたＵＳＢ端子１９よりＰＣ２との間で、各種制御コマンドを送受する。
【００５０】
一方のＰＣ２は、ＣＰＵ２１と、ＲＡＭ２２、記憶装置２３、入力装置２４、ビデオアダプタ２５、ＶＲＡＭ２６、及び表示部２７を備える。
【００５１】
ＣＰＵ２１は、記憶装置２３に記憶されたＯＳ（オペレーティングシステム）や各種アプリケーションプログラム、データファイルに基づいて、ＲＡＭ２２を適宜作業用メモリとして用いて、このＰＣ２全体の制御動作を実行する。
【００５２】
記憶装置２３は、記憶容量の大きなハードディスク装置等で構成され、上記ＣＰＵ２１が実行するＯＳやプレゼンテーション用のアプリケーションプログラムを含む各種アプリケーションプログラム、後述する撮影画像に対する各種の画像処理を行なう画像処理プログラム、上記ドキュメントや画像等を表示させる画像データ、上記プロジェクタ１に出力する画像データを生成させる画像表示プログラム等を格納する。
【００５３】
入力装置２４は、このＰＣ２に設けられたキーボード及びこのＰＣ２に接続されたポインティングデバイスであるマウス等でなる。
【００５４】
ビデオアダプタ２５は、ＶＲＡＭ２６に表示用の画像データを随時展開記憶させながらビデオ信号であるＲＧＢ信号を生成し、表示部２７に出力すると共に、上記ＲＧＢケーブル１００が接続されたＲＧＢ出力端子２８よりＲＧＢ信号を上記プロジェクタ１に対して出力する。
【００５５】
表示部２７は、バックライト付きのカラーＬＣＤパネル及びそれらの各駆動回路等で構成され、ビデオアダプタ２５から与えられるＲＧＢ信号を表示する。
【００５６】
また、ＣＰＵ２１には図示しないＵＳＢインターフェイス回路が接続されており、このＵＳＢインターフェイス回路を介して上記ＵＳＢケーブル２００が接続されたＵＳＢ端子２９、上記ＵＳＢケーブル３００が接続されたＵＳＢ端子３０の双方と接続される。
【００５７】
しかしてこのＣＰＵ２１には、上記書画装置３より得られる画像データがＵＳＢケーブル２００、ＵＳＢ端子２９を介して入力される一方で、プロジェクタ１より上記リモコン４でのキー操作に伴うキー制御コマンドがＵＳＢケーブル３００、ＵＳＢ端子３０を介して入力される。
【００５８】
次に図４を用いて上記書画装置３の電子回路の機能構成を説明する。  
書画装置３は、上記書面資料Ａ等を撮像する画像素子であるＣＣＤ３１と、ＤＳＰ（Ｄｉｇｉｔａｌ  Ｓｉｇｎａｌ  Ｐｒｏｃｅｓｓｏｒ）／ＣＰＵ３２を有している。
【００５９】
ＣＣＤ３１は、ここでは図示しないフォーカスレンズ、及びズームレンズを含むレンズ光学系を介して結像された被写体の光像を光電変換し、アナログの画像信号を出力する。
【００６０】
ＤＳＰ／ＣＰＵ３２は、ＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）方式による画像データの圧縮及び伸張を含むデジタル信号処理を行なうと共に、この書画装置３の各部を制御するワンチップマイコンである。
【００６１】
このＤＳＰ／ＣＰＵ３２には、上記ＣＣＤ３１を駆動するタイミング信号発振回路（ＴＧ）３３が接続され、このＴＧ３３にはまた、上記ＣＣＤ３１から出力される画像信号を入力するユニット回路３４が接続されている。
【００６２】
このユニット回路３４は、相関二重サンプリングによりＣＣＤ３１の出力する信号等のノイズを除去するＣＤＳ回路、ノイズが除去された画像信号を増幅するゲイン調整用アンプ（ＡＧＣ）、増幅後の画像信号をデジタル信号に変換するＡ／Ｄ変換器（ＡＤ）から構成されており、ＣＣＤ３１の出力する画像信号はユニット回路３４でデジタル信号に変換されＤＳＰ／ＣＰＵ３２に送られる。
【００６３】
また、ＤＳＰ／ＣＰＵ３２にはさらに、レンズ駆動部３５、ＵＳＢインターフェイス（Ｉ／Ｆ）３６、キー入力部３７、液晶モニタ３８が接続されるとともに、アドレス・データバス３９を介してＤＲＡＭ４０、内蔵フラッシュメモリ４１とも接続される。
【００６４】
レンズ駆動部３５は、上記レンズ光学系中のフォーカスレンズ及びズームレンズのそれぞれを光軸方向に駆動するステッピングモータ、及びそれらをＤＳＰ／ＣＰＵ３２からの制御信号に応じて駆動制御するモータドライバから構成される。
【００６５】
ＵＳＢインターフェイス３６は、外部機器コネクタ４２を介して上記ＵＳＢケーブル２００と接続され、このＵＳＢケーブル２００を介してＰＣ２へ書面資料Ａ等の画像信号を送出する。
【００６６】
キー入力部３７は、動作モードの切換えキーや、拡大・縮小キー、メニューキー、シャッターキー等の各種キーを含み、使用者によるキー操作に応じた操作信号を上記ＤＳＰ／ＣＰＵ３２に送出する。
【００６７】
液晶モニタ３８は、ＬＣＤパネルとその駆動回路とを含み、操作補助用として機能選択時の処理メニューや設定用の図形もしくはアイコン等の表示を行なう。
【００６８】
ＤＲＡＭ４０は、ＣＣＤ３１により撮像されデジタル化された被写体の画像信号を一時記憶するバッファメモリであると共に、上記ＤＳＰ／ＣＰＵ３２のワーキングメモリとして使用される。
【００６９】
載置した書面資料Ａの画像撮影時には、ＤＲＡＭ４０に一時記憶する画像データをＤＳＰ／ＣＰＵ３２により圧縮し、最終的には所定のフォーマット（本実施の形態ではＪＰＥＧに準拠したフォーマット）の画像ファイルとしてＵＳＢＩ／Ｆ３６、外部機器コネクタ４２を通じて上記ＰＣ２へ転送される。
【００７０】
内蔵フラッシュメモリ４１は、ＤＳＰ／ＣＰＵ３２に書画装置３の各部を制御させるための制御プログラムとその制御に使用する各種データを記憶しており、ＤＳＰ／ＣＰＵ３２は、上記制御プログラムに従って動作する。
【００７１】
次に上記実施の形態の動作について説明する。  
上述した如く本実施の形態では、プロジェクタ１がＵＳＢケーブル３００でＰＣ２と接続されておらず、ＰＣ２からＲＧＢケーブル１００を介してプロジェクタ１に画像信号が伝送されるのみの状態で、ページアップキー４ｃ、ページダウンキー４ｄを有効に活用するものとし、ページアップキー４ｃの操作によりカラー選択画面の表示と消去を、ページダウンキー４ｄの操作によりポインタの表示と消去をそれぞれ遠隔制御させるものである。
【００７２】
図５は、ページアップキー４ｃの操作によりそのキー操作信号をＩｒ受信部１７を介して入力したＣＰＵ１１が実行する処理内容を示すものである。
【００７３】
その処理当初にＣＰＵ１１は、まずＵＳＢインターフェイス回路を介してＵＳＢ端子１９にＰＣ２からのＵＳＢケーブル３００が接続されており、ＰＣ２と通信可能な状態にあるか否かを判断する（ステップＡ０１）。
【００７４】
ここで、ＵＳＢケーブル３００によりＰＣ２と接続されていると判断した場合には、キー操作通りページアップの制御コマンドを発行し、ＵＳＢケーブル３００を介してＰＣ２側に送信し（ステップＡ０９）、以上でこの図５の処理を終了する。
【００７５】
この場合、ページアップの制御コマンドを受信したＰＣ２側では、その時点で実行しているアプリケーションプログラムにより当該制御コマンドに対応して動作を実行するもので、これによりＰＣ２からプロジェクタ１にＲＧＢケーブル１００を介して出力される画像信号の内容が適宜変更され、スクリーンＳで投影表示される画像の内容に反映される。
【００７６】
加えて、この時点でリモコン４のカーソルキー４ｏによる操作を行なった場合でも、そのキー内容に対応した制御コマンドが随時ＰＣ２側へ送られることとなるので、ＰＣ２側で画像信号中にマウスポインタを表示している場合にはその位置を適宜移動させるなど、ＰＣ２が生成する画像信号中でカーソルキー４ｏの操作に対応した処理が反映されることとなる。
【００７７】
また、上記ステップＡ０１でその時点でプロジェクタ１がＰＣ２とＵＳＢケーブル３００で接続されていないと判断した場合には、次いでその時点でＰＣ２からの画像信号ではなく、上記メニューキー４ｆの操作に対応したメニュー画面の表示中であるか否かを判断し（ステップＡ０２）、メニュー画面の表示中であった場合にのみ、そのメニュー画面の表示を解除して消去させる（ステップＡ０３）。
【００７８】
次いで、すでにカラー選択画面を表示しているか否かを判断し（ステップＡ０４）、すでにカラー選択画面を表示している場合にはこれを解除して消去し（ステップＡ０８）、以上でこの図５の処理を終了する。
【００７９】
このステップＡ０４，Ａ０８の処理により、ページアップキー４ｃの２度押し操作に対応してカラー変更画面からの復帰を実現している。
【００８０】
また、上記ステップＡ０４でその時点ではまだカラー変更画面を表示してはいないと判断した場合には、次いでその時点で投影画像中にプロジェクタ１内で生成したポインタ画像を重畳表示させているか否かを判断し（ステップＡ０５）、ポインタの表示中であった場合にのみ、そのポインタの表示を停止して消去させる（ステップＡ０６）。
【００８１】
その後、あらためてカラー選択画面を投影表示させ（ステップＡ０７）、以上でこの図５の処理を終了する。  
図７は、このとき投影表示されるカラー選択画面を例示するものである。ここでは、カラー選択を行なう具体的な処理として予め設定された複数、例えば４つのガンマ（γ）補正値から一つを選択するものとする。図示する如く「ガンマモード」と称するカラー選択画面中に「標準」「プレゼンテーション」「シアター」及び「グラフィックス」の計４つの項目名を各オプションボタンと共に表示しており、図示する如く「標準」のオプションボタンが選択されてクリックされている状態を示す。
【００８２】
この図７の表示状態からガンマ（カラー）モードを変更設定するには、上記カーソルキー４ｏの上下キーで所望する内容を移動させてエンターキー４ｅを操作することで、選択とクリックとを実行することができる。
【００８３】
上述した如く、すでにカラー変更画面が投影表示された状態でページアップキー４ｃを操作すると、上記ステップＡ０４でこれを判断してステップＡ０７でカラー変更画面の表示を停止するため、容易にこのカラー変更画面の表示状態から、元の画像信号に基づいた投影動作時等に復帰することができる。
【００８４】
このように、リモコン４のページアップキー４ｃの操作に際してプロジェクタ１では、ＵＳＢケーブル３００によりＰＣ２と接続されている状態では、操作されたキー通りページアップの制御コマンドを発行し、ＵＳＢケーブル３００を介してＰＣ２側へ送信する一方で、ＵＳＢケーブル３００によりＰＣ２とは接続されていない状態では、所定の機能、例えばカラー変更画面の表示と消去を指示するキーとして機能させるものとした。
【００８５】
これにより、その時点での外部装置であるＰＣ２とのＵＳＢ接続の状態に応じて、ページアップキー４ｃの操作に対応する機能を自動的に切換えるものとしたので、リモコン４のページアップキー４ｃを有効に活用し、煩雑な設定操作等を行なう必要なしに、その時点に適した一つの機能を実現させることが可能となる。
【００８６】
また、図６は、ページダウンキー４ｄの操作によりそのキー操作信号をＩｒ受信部１７を介して入力したＣＰＵ１１が実行する処理内容を示すものである。
【００８７】
その処理当初にＣＰＵ１１は、まずＵＳＢインターフェイス回路を介してＵＳＢ端子１９にＰＣ２からのＵＳＢケーブル３００が接続されており、ＰＣ２と通信可能な状態にあるか否かを判断する（ステップＢ０１）。
【００８８】
ここで、ＵＳＢケーブル３００によりＰＣ２と接続されていると判断した場合には、キー操作通りページダウンの制御コマンドを発行し、ＵＳＢケーブル３００を介してＰＣ２側に送信し（ステップＢ０９）、以上でこの図６の処理を終了する。
【００８９】
この場合、ページダウンの制御コマンドを受信したＰＣ２側では、その時点で実行しているアプリケーションプログラムにより当該制御コマンドに対応して動作を実行するもので、これによりＰＣ２からプロジェクタ１にＲＧＢケーブル１００を介して出力される画像信号の内容が適宜変更され、スクリーンＳで投影表示される画像の内容に反映される。
【００９０】
加えて、この時点でリモコン４のカーソルキー４ｏによる操作を行なった場合でも、そのキー内容に対応した制御コマンドが随時ＰＣ２側へ送られることとなるので、ＰＣ２側で画像信号中にマウスポインタを表示している場合にはその位置を適宜移動させるなど、ＰＣ２が生成する画像信号中でカーソルキー４ｏの操作に対応した処理が反映されることとなる。
【００９１】
また、上記ステップＢ０１でその時点でプロジェクタ１がＰＣ２とＵＳＢケーブル３００で接続されていないと判断した場合には、次いでその時点でＰＣ２からの画像信号ではなく、上記メニューキー４ｆの操作に対応したメニュー画面の表示中であるか否かを判断し（ステップＢ０２）、メニュー画面の表示中であった場合にのみ、そのメニュー画面の表示を解除して消去させる（ステップＢ０３）。
【００９２】
次いで、その時点で投影画像中にプロジェクタ１内で生成したポインタ画像を重畳表示させているか否かを判断し（ステップＢ０４）、ポインタの表示中であった場合にはそのポインタの表示を停止して消去し（ステップＢ０８）、以上でこの図６の処理を終了する。
【００９３】
このステップＢ０４，Ｂ０８の処理により、ページダウンキー４ｄの２度押し操作に対応して、すでに表示されているポインタの消去を実現している。
【００９４】
また、上記ステップＢ０４でその時点ではまだポインタを重畳して表示してはいないと判断した場合には、次いでその時点でカラー変更画面の表示中であるか否かを判断し（ステップＢ０５）、表示中であった場合にのみ、そのカラー変更画面の表示を解除して消去させる（ステップＢ０６）。
【００９５】
その後、あらためてポインタをＰＣ２からの画像信号に重畳して投影表示させ（ステップＢ０７）、以上でこの図６の処理を終了する。  
図８は、このプロジェクタ１により、ＵＳＢケーブル３００が接続されていない状態で、ＰＣ２から入力された画像信号に重畳して投影表示させる、このプロジェクタ１固有のポインタの画像を例示するものである。
【００９６】
ここでは、パターン番号「１」〜「４」に対応して４種類のポインタ画像、例えば「矢印」「指差した手」「アンダーバー」「サークル」を予め用意するものとし、これらの中から任意のポインタ画像を選択することが可能であるものとする。
【００９７】
これらのうちの一つのポインタが表示されている状態では、リモコン４のカーソルキー４ｏの操作によりＣＰＵ１１の制御で適宜画像上に重畳するポインタの位置を対応する方向に移動させて投影表示させることができるものとする。
【００９８】
このように、リモコン４のページダウンキー４ｄの操作に際してプロジェクタ１では、ＵＳＢケーブル３００によりＰＣ２と接続されている状態では、操作されたキー通りページダウンの制御コマンドを発行し、ＵＳＢケーブル３００を介してＰＣ２側へ送信する一方で、ＵＳＢケーブル３００によりＰＣ２とは接続されていない状態では、所定の機能、例えばポインタの表示と消去を指示するキーとして機能させるものとした。
【００９９】
これにより、その時点での外部装置であるＰＣ２とのＵＳＢ接続の状態に応じて、ページダウンキー４ｄの操作に対応する機能を自動的に切換えるものとしたので、リモコン４のページダウンキー４ｄを有効に活用し、煩雑な設定操作等を行なう必要なしに、その時点に適した一つの機能を実現させることが可能となる。
【０１００】
なお、ＵＳＢケーブル３００によりプロジェクタ１とＰＣ２とが接続されておらず、且つこのプロジェクタ１側で生成したポインタの画像をＰＣ２からの画像信号に重畳して投影表示している状態で、リモコン４のカーソルキー４ｏによる操作を行なった場合、プロジェクタ１側のＣＰＵ１１はそのキー内容に対応して加須信号上に重畳するポインタの画像の位置を移動させるため、当然ながらプロジェクタ１側で重畳するポインタの位置はカーソルキー４ｏの操作に対応したものとなる。
【０１０１】
なお、上記図５及び図６はＵＳＢケーブル３００によりプロジェクタ１とＰＣ２とが接続されている場合及び接続されていない場合のページアップキー４ｃ、ページダウンキー４ｄの操作に対する処理内容を説明したものであるが、プロジェクタ１による投影動作の途中でＵＳＢケーブル３００によりプロジェクタ１とＰＣ２とが接続された場合には、次に示す動作を実行する。
【０１０２】
図９は、投影動作途中でＵＳＢケーブル３００によりＰＣ２と接続された場合にプロジェクタ１のＣＰＵ１１が実行する処理内容を示すものである。
【０１０３】
その当初、ＵＳＢケーブル３００が接続され、ＰＣ２との接続関係を検出した時点でＣＰＵ１１は、まずその時点でＰＣ２からＲＧＢケーブル１００を介して入力される画像信号に上記図６の説明で示したようなこのプロジェクタ１固有のポインタ画像を重畳して投影表示しているか否かを判断し（ステップＣ０１）、ポインタを重畳して投影表示している場合にのみ、そのポインタの表示を停止して消去する（ステップＣ０２）。
【０１０４】
その後、今度はその時点でカラー変更画面の表示中であるか否かを判断し（ステップＣ０３）、表示中であった場合にのみ、そのカラー変更画面の表示を解除して消去させる（ステップＣ０４）。
【０１０５】
以上で、上記図５及び図６で説明した、ＵＳＢケーブル３００によりＰＣ２と接続されていない状態でのページアップキー４ｃ及びページダウンキー４ｄの操作に対応した動作状態を解除したこととなり、あらためてＵＳＢケーブル３００が接続されてＰＣ２と各種制御コマンドの送受が可能となったことを設定した上で（ステップＣ０５）、この図９の処理を終了する。
【０１０６】
このように、投影動作途中であってもＵＳＢケーブル３００によりＰＣ２と接続されたことを検出し、確実にその接続状態に応じたキー操作環境に移行できる。
【０１０７】
（第２の実施の形態）  
以下、本発明による投影システムの第２の実施の形態を図面を参照して説明する。
【０１０８】
なお、システム全体の構成については上記図１と、プロジェクタの付属物であるリモコンのキートップ構成については上記図２と、プロジェクタとＰＣの電子回路の機能構成については上記図３と、そして書画装置の電子回路の機能構成については上記図４とそれぞれ基本的には同様であるものとして、同一部分には同一符号を付してその図示と説明を省略するものとする。
【０１０９】
加えて、プロジェクタ１がＵＳＢケーブル３００でＰＣ２と接続されておらず、ＰＣ２からＲＧＢケーブル１００を介してプロジェクタ１に画像信号が伝送されるのみの状態では、ページアップキー４ｃは上記第１の実施の形態と同様に機能する一方で、ページダウンキー４ｄはポインタの点灯表示と点滅表示、及び消去を切換えるキーとして機能させるものとする。
【０１１０】
次に上記実施の形態の動作について説明する。  
上述した如く本実施の形態では、プロジェクタ１がＵＳＢケーブル３００でＰＣ２と接続されておらず、ＰＣ２からＲＧＢケーブル１００を介してプロジェクタ１に画像信号が伝送されるのみの状態で、ページアップキー４ｃ、ページダウンキー４ｄを有効に活用するものとし、ページアップキー４ｃの操作によりカラー選択画面の表示と消去を、ページダウンキー４ｄの操作によりポインタの点灯表示と点滅表示を切換え、エスケープキー４ｐにより同ポインタを消去させるものとする。
【０１１１】
したがって、ページアップキー４ｃの操作に対する処理内容は上記図５と同様であるものとし、ここではその図示と説明を処理する。  
図１０は、ページダウンキー４ｄの操作によりそのキー操作信号をＩｒ受信部１７を介して入力したＣＰＵ１１が実行する処理内容を示すものである。
【０１１２】
その処理当初にＣＰＵ１１は、まずＵＳＢインターフェイス回路を介してＵＳＢ端子１９にＰＣ２からのＵＳＢケーブル３００が接続されており、ＰＣ２と通信可能な状態にあるか否かを判断する（ステップＢ０１）。
【０１１３】
ここで、ＵＳＢケーブル３００によりＰＣ２と接続されていると判断した場合には、キー操作通りページダウンの制御コマンドを発行し、ＵＳＢケーブル３００を介してＰＣ２側に送信し（ステップＢ０９）、以上でこの図１０の処理を終了する。
【０１１４】
この場合、ページダウンの制御コマンドを受信したＰＣ２側では、その時点で実行しているアプリケーションプログラムにより当該制御コマンドに対応して動作を実行するもので、これによりＰＣ２からプロジェクタ１にＲＧＢケーブル１００を介して出力される画像信号の内容が適宜変更され、スクリーンＳで投影表示される画像の内容に反映される。
【０１１５】
加えて、この時点でリモコン４のカーソルキー４ｏによる操作を行なった場合でも、そのキー内容に対応した制御コマンドが随時ＰＣ２側へ送られることとなるので、ＰＣ２側で画像信号中にマウスポインタを表示している場合にはその位置を適宜移動させるなど、ＰＣ２が生成する画像信号中でカーソルキー４ｏの操作に対応した処理が反映されることとなる。
【０１１６】
また、上記ステップＢ０１でその時点でプロジェクタ１がＰＣ２とＵＳＢケーブル３００で接続されていないと判断した場合には、次いでその時点でＰＣ２からの画像信号ではなく、上記メニューキー４ｆの操作に対応したメニュー画面の表示中であるか否かを判断し（ステップＢ０２）、メニュー画面の表示中であった場合にのみ、そのメニュー画面の表示を解除して消去させる（ステップＢ０３）。
【０１１７】
次いで、その時点で投影画像中にプロジェクタ１内で生成したポインタ画像を重畳表示させているか否かを判断し（ステップＢ０４）、ポインタの表示中であった場合には次にその時点で同ポインタが点灯表示ではなく点滅表示されているか否かを判断する（ステップＢ２１）。
【０１１８】
ここで、ポインタが点滅表示されていないと判断した場合には、あらためて同ポインタを点滅表示させるべく設定を実行した上で（ステップＢ２３）、この図１０の処理を終了する。
【０１１９】
一方、ポインタがすでに点滅表示されていると判断した場合には、点滅表示を停止し、点灯表示させるべく設定を実行した上で（ステップＢ２２）、この図１０の処理を終了する。
【０１２０】
これらステップＢ２１〜Ｂ２３の処理により、ページダウンキー４ｄの操作に対応してすでに表示されているポインタの点灯表示と点滅表示とを交互に切り換えることができる。
【０１２１】
また、上記ステップＢ０４でその時点ではまだポインタを重畳して点灯または点滅により表示してはいないと判断した場合には、次いでその時点でカラー変更画面の表示中であるか否かを判断し（ステップＢ０５）、表示中であった場合にのみ、そのカラー変更画面の表示を解除して消去させる（ステップＢ０６）。
【０１２２】
その後、あらためてポインタをＰＣ２からの画像信号に重畳して点灯表示させ（ステップＢ０７）、以上でこの図１０の処理を終了する。  
続いて図１１によりエスケープキー４ｐの操作に対するＣＰＵ１１による処理内容についても説明する。  
エスケープキー４ｐが操作された場合にＣＰＵ１１は、まずその時点でポインタが点灯表示ではなく点滅表示されているか否かを判断し（ステップＤ０１）、点滅表示されていると判断した場合にのみ、その点滅表示を停止する（ステップＤ０２）。
【０１２３】
その後、あらためて点灯表示されているポインタの点灯表示を停止して消去し（ステップＤ０３）、以上でこの図１１の処理を終了する。
【０１２４】
上記のように、リモコン４のページダウンキー４ｄの操作に際してプロジェクタ１では、ＵＳＢケーブル３００によりＰＣ２と接続されている状態では、操作されたキー通りページダウンの制御コマンドを発行し、ＵＳＢケーブル３００を介してＰＣ２側へ送信する一方で、ＵＳＢケーブル３００によりＰＣ２とは接続されていない状態では、所定の機能、例えばポインタの点灯表示と点滅表示を切換えるキーとして機能させるものとし、これと併せてエスケープキー４ｐの操作により同ポインタを消去させるものとした。
【０１２５】
これにより、その時点での外部装置であるＰＣ２とのＵＳＢ接続の状態に応じて、ページダウンキー４ｄの操作に対応する機能を自動的に切換えるものとしたので、リモコン４のページダウンキー４ｄを有効に活用し、煩雑な設定操作等を行なう必要なしに、その時点に適した一つの機能を実現させることが可能となる。
【０１２６】
（第３の実施の形態）  
以下、本発明による投影システムの第３の実施の形態を図面を参照して説明する。
【０１２７】
なお、システム全体の構成については上記図１と、プロジェクタの付属物であるリモコンのキートップ構成については上記図２と、プロジェクタとＰＣの電子回路の機能構成については上記図３と、そして書画装置の電子回路の機能構成については上記図４とそれぞれ基本的には同様であるものとして、同一部分には同一符号を付してその図示と説明を省
略するものとする。
【０１２８】
加えて、プロジェクタ１がＵＳＢケーブル３００でＰＣ２と接続されておらず、ＰＣ２からＲＧＢケーブル１００を介してプロジェクタ１に画像信号が伝送されるのみの状態では、ページアップキー４ｃは上記第１の実施の形態と同様に機能する一方で、ページダウンキー４ｄはまだポインタが表示されていなければ表示を、すでに表示されていればそのポインタの種類を変更するキーとして機能させるものとする。
【０１２９】
次に上記実施の形態の動作について説明する。  
上述した如く本実施の形態では、プロジェクタ１がＵＳＢケーブル３００でＰＣ２と接続されておらず、ＰＣ２からＲＧＢケーブル１００を介してプロジェクタ１に画像信号が伝送されるのみの状態で、ページアップキー４ｃ、ページダウンキー４ｄを有効に活用するものとし、ページアップキー４ｃの操作によりカラー選択画面の表示と消去を、ページダウンキー４ｄの操作によりポインタの表示とその種類の変更を切換え、エスケープキー４ｐにより同ポインタを消去させ留ものとする。
【０１３０】
加えて、ページダウンキー４ｄの操作によりポインタが表示されている状態では、さらにエンターキー４ｅの操作により、表示されているポインタがポインタ番号「１」の矢印ポインタであった場合にそのポイント位置を中心に右（時計）方向に９０°回転させ、またその他のポインタでは点灯表示と点滅表示とを切換えるものとする。
【０１３１】
したがって、ページアップキー４ｃの操作に対する処理内容は上記図５と同様であるものとし、ここではその図示と説明を処理する。  
図１２は、ページダウンキー４ｄの操作によりそのキー操作信号をＩｒ受信部１７を介して入力したＣＰＵ１１が実行する処理内容を示すものである。
【０１３２】
その処理当初にＣＰＵ１１は、まずＵＳＢインターフェイス回路を介してＵＳＢ端子１９にＰＣ２からのＵＳＢケーブル３００が接続されており、ＰＣ２と通信可能な状態にあるか否かを判断する（ステップＢ０１）。
【０１３３】
ここで、ＵＳＢケーブル３００によりＰＣ２と接続されていると判断した場合には、キー操作通りページダウンの制御コマンドを発行し、ＵＳＢケーブル３００を介してＰＣ２側に送信し（ステップＢ０９）、以上でこの図１２の処理を終了する。
【０１３４】
この場合、ページダウンの制御コマンドを受信したＰＣ２側では、その時点で実行しているアプリケーションプログラムにより当該制御コマンドに対応して動作を実行するもので、これによりＰＣ２からプロジェクタ１にＲＧＢケーブル１００を介して出力される画像信号の内容が適宜変更され、スクリーンＳで投影表示される画像の内容に反映される。
【０１３５】
加えて、この時点でリモコン４のカーソルキー４ｏによる操作を行なった場合でも、そのキー内容に対応した制御コマンドが随時ＰＣ２側へ送られることとなるので、ＰＣ２側で画像信号中にマウスポインタを表示している場合にはその位置を適宜移動させるなど、ＰＣ２が生成する画像信号中でカーソルキー４ｏの操作に対応した処理が反映されることとなる。
【０１３６】
また、上記ステップＢ０１でその時点でプロジェクタ１がＰＣ２とＵＳＢケーブル３００で接続されていないと判断した場合には、次いでその時点でＰＣ２からの画像信号ではなく、上記メニューキー４ｆの操作に対応したメニュー画面の表示中であるか否かを判断し（ステップＢ０２）、メニュー画面の表示中であった場合にのみ、そのメニュー画面の表示を解除して消去させる（ステップＢ０３）。
【０１３７】
次いで、その時点で投影画像中にプロジェクタ１内で生成したポインタ画像を重畳表示させているか否かを判断し（ステップＢ０４）、ポインタの表示中であった場合には次にその時点で表示されているポインタのポインタ番号を「＋１」更新設定する（ステップＢ４１）。
【０１３８】
そして、この更新設定したポインタ番号が予め設定された最大値を越えたか否かを判断し（ステップＢ４２）、越えた場合にのみポインタ番号を初期値「１」に設定し直す（ステップＢ４３）。
【０１３９】
図８は、このページダウンキー４ｄの操作により変更される各種ポインタをそのポインタ番号と共に示すものである。
【０１４０】
ここでは、パターン番号「１」〜「４」に対応して４種類のポインタ画像、例えば「矢印」「指差した手」「アンダーバー」「サークル」を予め用意するものとし、これらの中から任意のポインタ画像を選択することが可能であるものとする。
【０１４１】
したがって、ポインタ番号「４」の「サークル」が表示されている状態でページダウンキー４ｄが操作された場合、上記ステップＢ４１でポインタ番号が「＋１」更新設定されて「５」となると、これがステップＢ４２で判断され、ステップＢ４３で初期値のポインタ番号「１」に設定し直される。
【０１４２】
こうしてページダウンキー４ｄの操作に対応してポインタ番号が更新された後、更新した内容のポインタを表示させるべく設定を実行した上で（ステップＢ０７）、この図１２の処理を終了する。
【０１４３】
これらステップＢ４１〜Ｂ４３，Ｂ０７の処理により、ページダウンキー４ｄの操作に対応して予め複数種類用意されたポインタが順次循環的に変更設定されて表示されることとなる。
【０１４４】
また、上記ステップＢ０４でその時点ではまだこのプロジェクタ１側ではポインタの画像を重畳して表示してはいないと判断した場合には、次いでその時点でカラー変更画面の表示中であるか否かを判断し（ステップＢ０５）、表示中であった場合にのみ、そのカラー変更画面の表示を解除して消去させる（ステップＢ０６）。
【０１４５】
その後、あらためてこのプロジェクタ１で生成したポインタの画像をＰＣ２からの画像信号に重畳して表示させ（ステップＢ０７）、以上でこの図１２の処理を終了する。  
続いて図１３によりエンターキー４ｅの操作に対するＣＰＵ１１による処理内容についても説明する。  
エンターキー４ｅが操作された場合にＣＰＵ１１は、まずその時点でポインタが表示されているか否かを判断する（ステップＥ０１）。
【０１４６】
ここでプロジェクタ１側で生成したポインタを表示してはいない場合にはこのエンターキー４ｅの操作をＮＯＰ（無効）として直ちにこの図１３の処理を終了する一方で、ポインタを表示していると判断した場合には、次にその時点で表示しているポインタがポインタ番号「１」の「矢印」ポインタであるか否かを判断する（ステップＥ０２）。
【０１４７】
ここで、その時点で表示しているポインタがポインタ番号「１」の「矢印」ポインタであった場合には、このエンターキー４ｅの操作に対応して、その時点で矢印ポインタがポイントとしている位置を中心として９０°右（時計）方向に当該矢印ポインタを回転移動させ（ステップＥ０３）、以上でこの図１３の処理を終了する。
【０１４８】
また、上記ステップＥ０２でその時点で表示しているポインタがポインタ番号「１」の「矢印」ポインタではないと判断した場合には、次にその時点で同ポインタが点滅表示ではなく点灯表示されているか否かを判断する（ステップＥ０４）。
【０１４９】
ここで、ポインタが点灯表示されていないと判断した場合には、あらためて同ポインタを点灯表示させるべく設定を実行した上で（ステップＥ０６）、この図１３の処理を終了する。
【０１５０】
一方、ポインタがすでに点灯表示されていると判断した場合には、点灯表示を停止し、点滅表示させるべく設定を実行した上で（ステップＥ０５）、この図１３の処理を終了する。
【０１５１】
このように、すでに表示されているポインタがポインタ番号「１」の「矢印」ポインタであった場合にはエンターキー４ｅを操作する毎にその表示方向を９０°ずつ回転移動させることができる一方で、ポインタ番号「１」の「矢印」ポインタではなかった場合でも、ポインタの点灯表示と点滅表示とを交互に切り換えることができる。
【０１５２】
さらに、図１４によりエスケープキー４ｐの操作に対するＣＰＵ１１による処理内容についても説明する。  
エスケープキー４ｐが操作された場合にＣＰＵ１１は、その時点でポインタが点灯表示されているか否かを判断し（ステップＤ２１）、表示されていると判断した場合にのみ、その表示を停止し（ステップＤ２２）、以上でこの図１４の処理を終了する。
【０１５３】
なお、プロジェクタ１による投影動作の途中でＵＳＢケーブル３００によりプロジェクタ１とＰＣ２とが接続された場合の動作については、上記図９に示した内容と同様であるので、その図示と説明は省略する。
【０１５４】
このように、リモコン４のページダウンキー４ｄの操作に際してプロジェクタ１では、ＵＳＢケーブル３００によりＰＣ２と接続されている状態では、操作されたキー通りページダウンの制御コマンドを発行し、ＵＳＢケーブル３００を介してＰＣ２側へ送信する一方で、ＵＳＢケーブル３００によりＰＣ２とは接続されていない状態では、所定の機能、例えばポインタが表示されていなければこれを表示させ、すでに表示されていればポインタの種類を変更するキーとして機能させるものとし、これと併せてエスケープキー４ｐの操作により同ポインタを消去させ、またエンターキー４ｅによりポインタの種類毎に異なる表示形態を採るものとした。
【０１５５】
これにより、その時点での外部装置であるＰＣ２とのＵＳＢ接続の状態に応じて、ページダウンキー４ｄその他の操作に対応する機能を自動的に切換えるものとしたので、リモコン４のページダウンキー４ｄその他を有効に活用し、煩雑な設定操作等を行なう必要なしに、その時点でのポインタの表示状態に適した、よりバリエーション豊かな機能を実現させることが可能となる。
【０１５６】
なお、上記第１乃至第３の実施の形態では、プロジェクタ１に対して外部装置であるＰＣ２をＵＳＢケーブル３００を用いて接続し、さらにこのＰＣ２に例えばフラットベッドスキャナでなる書画装置３をＵＳＢケーブル２００を用いて接続するようなシステム構成を採る場合について説明したが、本発明はこれに限るものではなく、投影装置であるプロジェクタ１に接続する外部装置としては、各種制御コマンドを送受できるような接続手段を介して接続可能な機器であればよく、さらにＵＳＢケーブルのような有線接続だけでなく、Ｂｌｕｅｔｏｏｔｈ（登録商標）のような無線ＬＡＮ接続手段を用いるものとしてもよい。
【０１５７】
その他、本発明は上記実施の形態に限らず、その要旨を逸脱しない範囲内で種々変形して実施することが可能であるものとする。
【０１５８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１５９】
【図１】本発明の第１の実施の形態に係る投影システム全体の構成を示す図。
【図２】同実施の形態に係るリモコンのキートップ構成を示す平面図。
【図３】同実施の形態に係るプロジェクタ及びパーソナルコンピュータの電子回路の機能構成を示すブロック図。
【図４】同実施の形態に係る書画装置の電子回路の機能構成を示すブロック図。
【図５】同実施の形態に係るページアップキー操作に対応した処理内容を示すフローチャート。
【図６】同実施の形態に係るページダウンキー操作に対応した処理内容を示すフローチャート。
【図７】同実施の形態に係るページアップキーの操作で表示されるカラー選択画面を例示する図。
【図８】同実施の形態に係るページダウンキーの操作で表示されるポインタの種類を例示する図。
【図９】同実施の形態に係る投影動作途中でのＵＳＢ接続に対応した処理内容を示すフローチャート。
【図１０】本発明の第２の実施の形態に係るページダウンキー操作に対応した処理内容を示すフローチャート。
【図１１】同実施の形態に係るエスケープキー操作に対応した処理内容を示すフローチャート。
【図１２】本発明の第３の実施の形態に係るページダウンキー操作に対応した処理内容を示すフローチャート。
【図１３】同実施の形態に係るエンターキー操作に対応した処理内容を示すフローチャート。
【図１４】同実施の形態に係るエスケープキー操作に対応した処理内容を示すフローチャート。
【符号の説明】
【０１６０】
１…プロジェクタ、１ａ…投影部、１ｂ…Ｉｒ受信部、２…パーソナルコンピュータ（ＰＣ）、３…書画装置、４…リモコン、４ａ…リモコン発信部／レーザ光照射部、４ｃ…ページアップ（ＰＡＧＥ  ＵＰ）キー、４ｄ…ページダウン（ＰＡＧＥ  ＤＯＷＮ）キー、４ｅ…エンター（ＥＮＴＥＲ）キー、４ｐ…エスケープ（ＥＳＣ）キー、１１…ＣＰＵ、１２…ＲＯＭ、１３…ＲＡＭ、１４…画像入力部、１５…投影部、１６…キー入力部、１７…Ｉｒ受信部、１８…入力端子、１９…ＵＳＢ端子、２１…ＣＰＵ、２２…ＲＡＭ、２３…記憶装置、２４…入力装置、２５…ビデオアダプタ、２６…ＶＲＡＭ、２７…表示部、２８…ＲＧＢ出力端子、２９…ＵＳＢ端子、３０…ＵＳＢ端子、３１…ＣＣＤ、３２…ＤＳＰ／ＣＰＵ、３３…タイミング信号発振回路（ＴＧ）、３４…ユニット回路（ＣＤＳ／ＡＧＣ／ＡＤ）、３５…レンズ駆動部、３６…ＵＳＢインターフェイス（Ｉ／Ｆ）、３７…キー入力部、３８…液晶モニタ、３９…アドレス・データバス、４０…ＤＲＡＭ、４１…内蔵フラッシュメモリ、４２…外部機器コネクタ、１００…ＲＧＢケーブル、２００…ＵＳＢケーブル、３００…ＵＳＢケーブル、Ａ…書面資料、Ｓ…スクリーン。
【図１】
2006236257.tif 000003
【図２】
2006236257.tif 000004
【図３】
2006236257.tif 000005
【図４】
2006236257.tif 000006
【図５】
2006236257.tif 000007
【図６】
2006236257.tif 000008
【図７】
2006236257.tif 000009
【図８】
2006236257.tif 000010
【図９】
2006236257.tif 000011
【図１０】
2006236257.tif 000012
【図１１】
2006236257.tif 000013
【図１２】
2006236257.tif 000014
【図１３】
2006236257.tif 000015
【図１４】
2006236257.tif 000016